(57)【要約】【課題】  電気機器をコンセントに接続したままの状態であってもその消費電力を抑制するようにする。【解決手段】電力使用量管理システムは、コンセント１３，１４及び電気機器１１，１２と接続された際、コンセントから電気機器に電源供給を行う電力使用量送信装置１０ａ，１０ｂと、電力使用量送信装置と通信可能な電力使用量管理装置１００ａとを有している。電力使用量送信装置は、電気機器の消費電力を測定して電力使用量管理装置に前記電気機器の消費電力データを送信し、電力使用量管理装置から電力供給停止データを受信したことに応じて電気機器の電力供給を停止する。電力使用量管理装置は消費電力データに基づいて電力供給停止データを生成して、電力停止データを電力使用量送信装置に送る。【選択図】図１
2010114967.tif 000002
【特許請求の範囲】
【請求項１】
電源供給を行うコンセント及び当該コンセントからの電源供給を受ける電気機器と接続され、電力使用量管理装置と通信可能な電力使用量送信装置であって、
前記電気機器の消費電力を測定し、前記電力使用量管理装置に、前記電気機器の消費電力データを送信する消費電力データ送信部と、
前記電力使用量管理装置から前記消費電力データに基づく電力供給停止データを受信したことに応じて、前記電気機器の電力供給を停止する電力供給停止部と、
を備える電力使用量送信装置。
【請求項２】
前記コンセント及び前記電気機器に接続された際、前記コンセントから前記電気機器に電源供給を行う電源接続部を有する請求項１記載の電力使用量送信装置。
【請求項３】
前記電力使用量管理装置が前記消費電力テータと予め設定された閾値との比較結果に応じて前記電力供給停止データを送信する請求項１又は２記載の電力使用量送信装置。
【請求項４】
前記閾値は前記電気機器の待機電力に対応しており、前記電力使用量管理装置は前記消費電力データが前記閾値以下となった状態が予め定められた時間継続すると、前記電力供給停止データを送信する請求項３記載の電力使用量送信装置。
【請求項５】
電源供給を行うコンセントから電源供給を受ける電気機器の電力使用量を管理するための電力使用量管理システムであって、
前記コンセント及び前記電気機器と接続された際、前記コンセントから前記電気機器に電源供給を行う電力使用量送信装置と、
前記電力使用量送信装置と通信可能な電力使用量管理装置とを有し、
前記電力使用量送信装置は、前記電気機器の消費電力を測定して前記電力使用量管理装置に前記電気機器の消費電力データを送信する消費電力データ送信部と、前記電力使用量管理装置から電力供給停止データを受信したことに応じて前記電気機器の電力供給を停止する電力供給停止部とを備え、
前記電力使用量管理装置は前記消費電力データに基づいて前記電力供給停止データを生成する電力停止データ生成部と、該電力停止データを前記電力使用量送信装置に送る電力停止データ送信部を備える電力使用量管理システム。
【請求項６】
前記電力停止データ生成部は前記消費電力テータと予め設定された閾値との比較結果に応じて前記電力供給停止データを生成する請求項５記載の電力使用量管理システム。
【請求項７】
前記閾値は前記電気機器の待機電力に対応しており、前記電力停止データ生成部は前記消費電力データが前記閾値以下となった状態が予め定められた時間継続すると、前記電力供給停止データを生成する請求項６記載の電力使用量管理システム。
【請求項８】
前記電力使用量送信装置は電気機器毎に備えられており、
前記消費電力データ送信部は前記消費電力データを送信する際、当該電力使用量送信装置に接続された電気機器を特定する電気機器識別符号を前記消費電力データに付加する請求項５〜７いずれか１項記載の電力使用量管理システム。
【請求項９】
前記電力使用量管理装置は、前記電気機器識別符号に応じて電力供給停止を行う電気機器を判定する電気機器判定部を有する請求項８記載の電力使用量管理システム。
【請求項１０】
前記電力使用量送信装置と前記電力使用量管理装置とは無線ネットワークで接続されており、
前記電力使用量管理装置は、前記無線ネットワークで規定される無線エリア内に携帯電話機が位置し、当該携帯電話機を検知する検知手段と、前記検知部で前記携帯電話機が検知されると、電力供給停止の解除を示す解除信号を前記電力使用量送信装置に送信する解除信号送信手段を有し、
前記電力供給停止部は前記解除信号に応答して前記電気機器への電力供給停止を解除する請求項５〜９のいずれか１項記載の電力使用量管理システム。
【請求項１１】
前記電力使用量管理装置は、前記消費電力データを時系列的に前記電気機器に対応付けて表示する表示手段を有する請求項５〜１０のいずれか１項記載の電力使用量管理システム。
【請求項１２】
電源供給を行うコンセントから電源供給を受ける電気機器の電力使用量を管理するための電力使用量管理方法であって、
前記コンセント及び前記電気機器と接続された際、前記コンセントから前記電気機器に電源供給を行う電力使用量送信装置と、
前記電力使用量送信装置と通信可能な電力使用量管理装置とを備え、
前記電力使用量送信装置は、前記電気機器の消費電力を測定して前記電力使用量管理装置に前記電気機器の消費電力データを送信する消費電力データ送信ステップと、前記電力使用量管理装置から電力供給停止データを受信したことに応じて前記電気機器の電力供給を停止する電力供給停止ステップとを実行し、
前記電力使用量管理装置は前記消費電力データに基づいて前記電力供給停止データを生成する電力停止データ生成ステップと、該電力停止データを前記電力使用量送信装置に送る電力停止データ送信ステップとを実行する電力使用量管理方法。
【請求項１３】
前記電力停止データ生成ステップでは、前記消費電力テータと予め設定された閾値との比較結果に応じて前記電力供給停止データを生成する請求項１２記載の電力使用量管理方法。
【請求項１４】
前記閾値は前記電気機器の待機電力に対応しており、前記電力停止データ生成ステップでは、前記消費電力データが前記閾値以下となった状態が予め定められた時間継続すると、前記電力供給停止データを生成する請求項１３記載の電力使用量管理方法。
【発明の詳細な説明】
【技術分野】
【０００１】
本発明は、電気機器毎の消費電力量を監視・管理する際に用いられる電力使用量送信装置、電力使用量管理方法、電力使用量管理システムに関する。
【背景技術】
【０００２】
一般に、家庭においてテレビ及び電気洗濯機等の電気機器を使用する際には、そのプラグをコンセントに挿入して、電気機器に電力を供給する必要があるが、プラグをコンセントに挿入したままの状態とすると、当該電気機器を使用していない場合にも、所謂待機電力が消費される。
【０００３】
この待機電力は僅かであるといっても（例えば、３７型液晶テレビの場合、電源投入時の消費電力２５０Ｗであるのに対して待機電力は０．６Ｗである）、長期間に亘ると待機電力といってもばかにならず、しかも多数の家庭等の待機電力を合算すれば、それは大きな電力量となってしまい、所謂省エネに反する事態となってしまう。
【０００４】
このため、電気機器を使用しない場合には、そのプラグをコンセントから外せばよいが、使用の都度、プラグをコンセントに挿入し、使用後プラグをコンセントから外すのは、面倒であるし、忘れてしまうことも多い。
【０００５】
一方、電力使用者毎の電力使用量に応じて確実な課金処理を行うため、電力供給端末の入力インターフェイスが取得した電力使用希望者の認証情報を、ネットワークを介して電力供給端末と通信してメモリに格納し、メモリに格納されている認証情報を利用者情報データベースにて検索し一致する認証元情報を特定した場合に、電力使用希望者を予定ユーザと認識して電力供給端末に対してネットワークを介して、通電開始指示を送信するようにしたものがある（例えば、特許文献１参照）。
【特許文献１】特開２００８−２５０８３７号公報
【発明の開示】
【発明が解決しようとする課題】
【０００６】
家庭等において電気機器は、通常コンセントに接続された状態にあり、使用の都度電気機器をコンセントに接続することは行われておらず、電気機器をコンセントに接続したままであると、使用していないにも拘らず、待機電力が消費されることとなって、省エネの観点から好ましくない。
【０００７】
一方、家庭等毎の電気機器の使用状況（電力使用状況）を、集中的に管理すれば、各家庭における電力使用状況から当該家庭における省エネ達成率等を容易に把握することができるばかりでなく、経年的に各家庭の電力使用状況を把握することができる。
【０００８】
従って、本発明の目的は、電気機器をコンセントに接続したままの状態であってもその消費電力を抑制することのできる電力使用量送信装置、電力使用量管理方法、電力使用量管理システムを提供することにある。
【０００９】
本発明の他の目的は、電気機器の電力使用状況を集中的に管理してその経年的変化を容易に把握することのできる電力使用量送信装置、電力使用量管理方法、電力使用量管理システムを提供することにある。
【課題を解決するための手段】
【００１０】
（１）本発明は、電源供給を行うコンセント及び当該コンセントからの電源供給を受ける電気機器と接続され、電力使用量管理装置と通信可能な電力使用量送信装置であって、前記電気機器の消費電力を測定し、前記電力使用量管理装置に、前記電気機器の消費電力データを送信する消費電力データ送信部と、前記電力使用量管理装置から前記消費電力データに基づく電力供給停止データを受信したことに応じて、前記電気機器の電力供給を停止する電力供給停止部とを備えるものである。
【００１１】
（１）の電力使用量送信装置では、電力使用量管理装置に電気機器の消費電力データを送信し、電力使用量管理装置から消費電力データに基づく電力供給停止データに応じて電気機器の電力供給を停止するようにしたので、電気機器をコンセントに接続したままの状態であってもその消費電力を抑制することができる。
【００１２】
（２）本発明は、（１）の電力使用量送信装置において、前記コンセント及び前記電気機器に接続された際、前記コンセントから前記電気機器に電源供給を行う電源接続部を有するものである。
【００１３】
（２）の電力使用量送信装置では、コンセント及び電気機器に接続された際、コンセントから電気機器に電源供給を行う電源接続部を有しているから、電力使用量送信装置をコンセント及び電気機器に接続するだけで、電気機器への電源供給を行うことができる。
【００１４】
（３）本発明は、（１）又は（２）の電力使用量送信装置において、前記電力使用量管理装置が前記消費電力テータと予め設定された閾値との比較結果に応じて前記電力供給停止データを送信するものである。
【００１５】
（３）の電力使用量送信装置では、電力使用量管理装置が消費電力テータと予め設定された閾値との比較結果に応じて電力供給停止データを送信するようにしたので、閾値の設定に応じた電力使用量管理を行うことができる。
【００１６】
（４）本発明は、（３）の電力使用量送信装置において、前記閾値は前記電気機器の待機電力に対応しており、前記電力使用量管理装置は前記消費電力データが前記閾値以下となった状態が予め定められた時間継続すると、前記電力供給停止データを送信するものである。
【００１７】
（４）の電力使用量送信装置では、閾値を電気機器の待機電力に対応付けて、電力使用量管理装置は消費電力データが前記閾値以下となった状態が予め定められた時間継続すると、電力供給停止データを送信するようにしたので、電気機器の待機電力の消費を適切に管理することができる。
【００１８】
（５）本発明は、電源供給を行うコンセントから電源供給を受ける電気機器の電力使用量を管理するための電力使用量管理システムであって、前記コンセント及び前記電気機器と接続された際、前記コンセントから前記電気機器に電源供給を行う電力使用量送信装置と、前記電力使用量送信装置と通信可能な電力使用量管理装置とを有し、前記電力使用量送信装置は、前記電気機器の消費電力を測定して前記電力使用量管理装置に前記電気機器の消費電力データを送信する消費電力データ送信部と、前記電力使用量管理装置から電力供給停止データを受信したことに応じて前記電気機器の電力供給を停止する電力供給停止部とを備え、前記電力使用量管理装置は前記消費電力データに基づいて前記電力供給停止データを生成する電力停止データ生成部と、該電力停止データを前記電力使用量送信装置に送る電力停止データ送信部を備えるものである。
【００１９】
（５）の電力使用量管理システムでは、電力使用量送信装置が電力使用量管理装置に電気機器の消費電力データを送信し、電力使用量管理装置が消費電力データに基づいて電力供給停止データを送信して、電力使用量送信装置が電力供給停止データに応じて電気機器の電力供給を停止するようにしたので、電気機器をコンセントに接続したままの状態であってもその消費電力を抑制することができる。
【００２０】
（６）本発明は、（５）の電力使用量管理システムにおいて、前記電力停止データ生成部は前記消費電力テータと予め設定された閾値との比較結果に応じて前記電力供給停止データを生成するものである。
【００２１】
（６）の電力使用量管理システムでは、電力使用量管理装置が消費電力テータと予め設定された閾値との比較結果に応じて電力供給停止データを送信するようにしたので、閾値の設定に応じて電気機器の電力使用量管理を行うことができる。
【００２２】
（７）本発明は、（６）の電力使用量管理システムにおいて、前記閾値は前記電気機器の待機電力に対応しており、前記電力停止データ生成部は前記消費電力データが前記閾値以下となった状態が予め定められた時間継続すると、前記電力供給停止データを生成するものである。
【００２３】
（７）の電力使用量管理システムでは、閾値を電気機器の待機電力に対応付けて、電力使用量管理装置は消費電力データが前記閾値以下となった状態が予め定められた時間継続すると、電力供給停止データを送信するようにしたので、電気機器の待機電力の消費を適切に管理することができる。
【００２４】
（８）本発明は、（５）〜（７）のいずれかの電力使用量管理システムにおいて、前記電力使用量送信装置は電気機器毎に備えられており、前記消費電力データ送信部は前記消費電力データを送信する際、当該電力使用量送信装置に接続された電気機器を特定する電気機器識別符号を前記消費電力データに付加するものである。
【００２５】
（８）の電力使用量管理システムでは、電力使用量送信装置は電気機器毎に備えて、消費電力データ送信部は当該電力使用量送信装置に接続された電気機器を特定する電気機器識別符号を消費電力データに付加するようにしたので、一台の電力使用量管理装置で複数の電気機器の電量使用量を管理することができる。
【００２６】
（９）本発明は、（８）の電力使用量管理システムにおいて、前記電力使用量管理装置は、前記電気機器識別符号に応じて電力供給停止を行う電気機器を判定する電気機器判定部を有するものである。
【００２７】
（９）の電力使用量管理システムでは、電力使用量管理装置が電気機器識別符号に応じて電力供給停止を行う電気機器を判定するようにしたので、電力使用量の管理を必要とする電気機器のみについて電源供給を停止することができる。
【００２８】
（１０）本発明は、（５）〜（９）のいずれかの電力使用量管理システムにおいて、前記電力使用量送信装置と前記電力使用量管理装置とは無線ネットワークで接続されており、前記電力使用量管理装置は、前記無線ネットワークで規定される無線エリア内に携帯電話機が位置し、当該携帯電話機を検知する検知手段と、前記検知部で前記携帯電話機が検知されると、電力供給停止の解除を示す解除信号を前記電力使用量送信装置に送信する解除信号送信手段を有し、前記電力供給停止部は前記解除信号に応答して前記電気機器への電力供給停止を解除するものである。
【００２９】
（１０）の電力使用量管理システムでは、携帯電話機が検知されると、電力供給停止の解除を示す解除信号を電力使用量送信装置に送信して、電源供給停止を解除するようにしたので、例えば、家庭において家族全員が留守中において電気機器への電源供給停止が実行されても、家族が帰宅すれば特別の操作を行うことなく、電気機器の電源供給停止状態を解除することができる。
【００３０】
（１１）本発明は、（５）〜（１０）のいずれかの電力使用量管理システムにおいて、前記電力使用量管理装置は、前記消費電力データを時系列的に前記電気機器に対応付けて表示する表示手段を有するものである。
【００３１】
（１１）の電力使用量管理システムでは、電力使用量管理装置が消費電力データを時系列的に電気機器に対応付けて表示するようにしたので、容易に電気機器毎の電力使用量を把握することができる。
【００３２】
（１２）本発明は、電源供給を行うコンセントから電源供給を受ける電気機器の電力使用量を管理するための電力使用量管理方法であって、前記コンセント及び前記電気機器と接続された際、前記コンセントから前記電気機器に電源供給を行う電力使用量送信装置と、前記電力使用量送信装置と通信可能な電力使用量管理装置とを備え、前記電力使用量送信装置は、前記電気機器の消費電力を測定して前記電力使用量管理装置に前記電気機器の消費電力データを送信する消費電力データ送信ステップと、前記電力使用量管理装置から電力供給停止データを受信したことに応じて前記電気機器の電力供給を停止する電力供給停止ステップとを実行し、前記電力使用量管理装置は前記消費電力データに基づいて前記電力供給停止データを生成する電力停止データ生成ステップと、該電力停止データを前記電力使用量送信装置に送る電力停止データ送信ステップとを実行するものである。
【００３３】
（１２）の電力使用量管理方法では、電力使用量送信装置が電力使用量管理装置に電気機器の消費電力データを送信し、電力使用量管理装置が消費電力データに基づいて電力供給停止データを送信して、電力使用量送信装置が電力供給停止データに応じて電気機器の電力供給を停止するようにしたので、電気機器をコンセントに接続したままの状態であってもその消費電力を抑制することができる。
【００３４】
（１３）本発明は、（１２）の電力使用量管理方法において、前記電力停止データ生成ステップでは、前記消費電力テータと予め設定された閾値との比較結果に応じて前記電力供給停止データを生成するものである。
【００３５】
（１３）の電力使用量管理方法では、電力使用量管理装置が消費電力テータと予め設定された閾値との比較結果に応じて電力供給停止データを送信するようにしたので、閾値の設定に応じて電気機器の電力使用量管理を行うことができる。
【００３６】
（１４）本発明は、（１３）の電力使用量管理方法において、前記閾値は前記電気機器の待機電力に対応しており、前記電力停止データ生成ステップでは、前記消費電力データが前記閾値以下となった状態が予め定められた時間継続すると、前記電力供給停止データを生成するものである。
【００３７】
（１４）の電力使用量管理方法では、閾値を電気機器の待機電力に対応付けて、電力使用量管理装置は消費電力データが前記閾値以下となった状態が予め定められた時間継続すると、電力供給停止データを送信するようにしたので、電気機器の待機電力の消費を適切に管理することができる。
【発明の効果】
【００３８】
以上のように、本発明によれば、電力使用量送信装置が電力使用量管理装置に電気機器の消費電力データを送信し、電力使用量管理装置が消費電力データに基づいて電力供給停止データを送信して、電力使用量送信装置が電力供給停止データに応じて電気機器の電力供給を停止するようにしたので、電気機器をコンセントに接続したままの状態であってもその消費電力を抑制することができるばかりでなく、電力使用量管理装置で、電気機器の電力使用状況を集中的に管理してその経年的変化を容易に把握することができるという効果がある。
【発明を実施するための最良の形態】
【００３９】
以下本発明の実施の形態による電力使用量送信装置及び電力使用量管理システムの一例について説明する。
【００４０】
図１は本発明の実施の形態による電力使用量管理システムの一例を示す図である。図１において、この電力使用量管理システムは、例えば、一般家庭内に家庭内システム５０として配置される。家庭内システム５０は、少なくとも一台の電力使用量送信装置１０ａ及び１０ｂ、一台の電力使用量管理装置１００ａを有しており、図示の例では、電力使用量送信装置１０ａ及び１０ｂは、無線ＬＡＮ（破線矢印で示す）によって電力使用量管理装置１００ａに接続される。
【００４１】
図示の例では、電力使用量送信装置１０ａは、電気機器１１（図示の例ではテレビ）に接続されるとともに、コンセント１３に接続され、電気機器１１には電力使用量送信装置１０ａを介してコンセント１３から電力が供給される（電源供給：実線矢印で示す）。同様に、電力使用量送信装置１０ｂは、電気機器１２（図示の例では電気冷蔵庫）に接続されるとともに、コンセント１４に接続され、電気機器１２には電力使用量送信装置１０ｂを介してコンセント１４から電力が供給される。
【００４２】
図２は、電力使用量送信装置１０ａ及び電力使用量管理装置１００ａの構成を示すブロック図である（なお、電力使用量送信装置１０ｂは電力使用量送信装置１０ａと同様の構成を有して）。図２において、電力使用量送信装置１０ａは、コンセント接続部２１ａ、ネットワーク通信部２１ｂ、消費電力測定部２１ｃ、電力供給停止部２１ｄ、及び電気機器接続部２１ｅを有しており、電力使用量管理装置１００ａは、ネットワーク通信部２２ａ、消費電力算出部２２ｂ、待機電気機器判定部２２ｃ、電力供給停止機器判定部２２ｄ、及び電力供給停止命令送信部２２  ２１ｅを有している。
【００４３】
電力使用量送信装置１０ａは、コンセント接続部２１ａによってコンセント１３に接続され、電気機器接続部２１ｅによって電気機器１１に接続される。つまり、コンセント１３をコンセント接続部２１ａに接続し、電気機器１１を電気機器接続部２１ｅに接続すると、電気機器１１は電力使用量送信装置１０ａを介してコンセント１３に接続された状態となる。
【００４４】
電力使用量送信装置１０ａにおいて、ネットワーク通信部２１ｂは無線ＬＡＮを介して電力使用量管理装置１００ａと通信を行う。消費電力測定部２１ｃは、電気機器１１で消費される電力を消費電力として測定する。電力供給停止部２１ｄは、後述するように、電力使用量管理装置１００ａから電力供給停止信号（電力供給停止データ）を受信すると、電気機器１１とコンセント１３との接続を断ち、電気機器１１への電力供給を停止する。
【００４５】
図３は、本発明の実施の形態による電力使用量管理システムの動作を説明するためのフロー図である。ここで、図３も参照して、前述のように、消費電力量測定部２１ｃでは、電力使用量送信装置１０ａに接続された電気機器１１の消費電力を測定する（ステップＳ１）。
【００４６】
電力使用量送信装置１０ａには、接続される電気機器を示す電気機器識別番号（以下単に機器ＩＤという）が設定されており、ネットワーク通信部２１ｂは、消費電力測定部２１ｃで測定された消費電力を消費電力データとして、電力使用量管理装置１００ａに送信する際、この消費電力データに機器ＩＤを付加して送信する（ステップＳ２：消費電力量データ送信）。
【００４７】
電力使用量管理装置１００ａでは、消費電力データを、無線ＬＡＮを介してネットワーク通信部２２ａで受信する（ステップＳ３：消費電力量データ受信）。そして、この消費電力データはネットワーク通信部２２ａから消費電力算出部２２ｂに与えられる。当然のことながら、消費電力算出部２２ｂには、電力使用量送信装置１０ｂから送信される消費電力も入力されることになり、さらには、図示はしないが、別の電力使用量送信装置から送信された別の電気機器の消費電力データも入力されることになる。
【００４８】
消費電力算出部２２ｂでは、電気機器毎の消費電力データを時系列的に得るとともに、各電気機器毎の電力量（電力×時間）を求める。また、各電気機器毎の消費電力を合算した合算消費電力を求めるようにしてもよい（ステップＳ４：消費電力算出）。そして、図示しない表示部等に電気機器毎の消費電力及び合算消費電力を表示するようにしてもよい。この際、機器ＩＤに応じて消費電力算出部２２ｂは、表示部に機器名（又は機器シンボル）を表示して、この機器名に対応付けて各電気機器の消費電力を表示する。
【００４９】
図４は表示部３０に表示される消費電力の画面３０ａの例を示す図であり、図示の例では、電気機器１１（テレビ）、電子機器１２（電気冷蔵庫）の他に、電気機器１５（パソコン）の消費電力を示すグラフ１１ａ、１２ａ、及び１５ａが、それぞれその機器シンボル１１ｂ、１２ｂ、及び１５ｂとともに表示される（なお、図示の例では、合算消費電力は表示されていない）。
【００５０】
図示の画面３０ａでは、各機器シンボル１１ｂ、１２ｂ、及び１５ｂに対応付けてその消費電力がグラフ１１ａ、１２ａ、及び１５ａによって時系列的に表示されており、画面３０ａを目視すれば、容易に各電気機器１１、１２、及び１５の消費電力を時系列的に把握することができる。
【００５１】
図２及び図３に戻って、前述の消費電力データは、待機電気機器判定部２２ｃにも与えられる。待機電気機器判定部２２ｃには、前述の機器ＩＤが予め設定されるとともに、電気機器毎の待機電力に対応づけて、各電気機器毎に閾値が設定されている。待機電気機器判定部２２ｃでは、機器ＩＤに応じて、各電気機器の消費電力データを識別し、各電気機器毎に設定された閾値と各電気機器毎の消費電力データとを比較する。
【００５２】
待機電気機器判定部２２ｃでは、消費電力データが閾値以下となった際、待機状態となったと判定し、当該消費電力データに付加された機器ＩＤに応じて待機状態となった電気機器を待機電気機器とする（ステップＳ５：待機電源の電気機器判定）。そして、待機電気機器判定部２２ｃは、待機状態となった電気機器の機器ＩＤを、待機機器ＩＤとして電力供給停止機器判定部２２ｄに与える。
【００５３】
電力供給停止機器判定部２２ｄでは、待機機器ＩＤを受けると、当該待機電気機器の消費電力データが閾値以下である状態が、予め設定された時間（Ｔ）を越えたか否かを監視する。そして、消費電力データが閾値以下である状態が予め設定された時間（Ｔ）を越えると、電力供給停止機器判定部２２ｄは、当該待機機器ＩＤに対応する電気機器を電力停止機器とする。
【００５４】
例えば、電気機器１１が３７型液晶テレビであるとすると、図５に示すように、そのグラフ１１ａにおいて、電源入時の消費電力は２５０Ｗ、待機時の消費電力（待機電力）は０．６Ｗであるので、閾値を０．６Ｗとした際、消費電力データが０．６Ｗの状態の状態が予め設定された時間Ｔの間継続すると、電力供給停止機器判定部２２ｄは、当該電気機器１１を電力停止機器であると判定することになる。
【００５５】
電力供給停止機器判定部２２ｄは、電力停止機器の判定を行うと、当該電力停止機器の機器ＩＤを電力停止機器ＩＤとして電力供給停止命令送信部２２ｅに与えるとともに、電力供給停止命令を与える。電力供給停止命令送信部２２ｅは、電力供給停止命令に応答して、電力供給停止信号（電力供給停止データ）に電力停止機器ＩＤを付加してネットワーク通信部２２ａを介して送信する（ステップＳ６：電力供給停止データの送信）。
【００５６】
電力使用量送信装置１０ａでは、ネットワーク通信部２１ａによって電力供給停止データを受信するが、電力供給停止部２１ｄでは、当該電力供給停止データに付加された電力停止機器ＩＤが、電力使用量送信装置１０ａに接続された電気機器１１の機器ＩＤに一致すると、コンセント１３と電気機器１１との接続を断ち、電力供給を停止する（ステップＳ７）。
【００５７】
このようにして、電力使用量管理装置１００ａにおいて、電力使用量送信装置１０ａ及び１０ｂ等の電力使用量送信装置から送信される消費電力データを監視して、消費電力データが閾値以下（例えば、待機電力以下）となった電気機器について、その電力供給を停止するようにしたので、電気機器がコンセントに接続された状態においても使用していない状態であれば、つまり、待機状態であれば、電力供給が停止される結果、その消費電力を抑制して省エネに役立てることができる。
【００５８】
さらに、電力使用量管理装置１００ａにおいては、各電気機器の消費電力データを画面表示するようにすれば、各電気機器の電力使用状況を集中的に管理・モニタしてその経年的変化を容易に把握することができる。
【００５９】
ところで、上述のようにして、電力供給が停止された電気機器については、所定のタイミングで電力の供給が開始されことになる（ステップＳ８）。例えば、図６に示すように、無線ＬＡＮ機能を有する携帯電話機４１が家庭内システム５０の無線エリア５１内に入ると、電力供給停止状態が解除される。
【００６０】
つまり、携帯電話機４１が家庭内システム５０の無線エリア５１内に入ると、電力使用量管理装置１００ａは、例えば、電力供給停止命令送信部２２ｅでこれ（携帯電話機４１が無線エリア５１に入ったこと）を検知し、電力使用量送信装置の全てに、つまり、全ての機器ＩＤを付加して電源供給開始データを送信する（図６においては、説明の便宜上、電力使用量送信装置１０ａのみが示されているが、無線エリア５１内には複数の電力使用量送信装置が配置されている）。
【００６１】
電力使用量送信装置１０ａでは、この電源供給開始データに応答して、当該電力使用量送信装置に接続された電気機器１１に電力を供給する。つまり、電力停止動作中であった電力使用量送信装置１０ａは、電力供給停止部２１ｄが電力停止状態を解除することになる。
【００６２】
例えば、家族が留守の際には、全ての電気機器への電力供給が停止されることとなるが、家族（ユーザ）が家に帰ると、上述のようにして、電力供給停止状態が解除されることになる（現在では、殆どの人が携帯電話機を所持しているため、上記のようにして、電力供給停止状態を解除することが可能である）。
【００６３】
なお、上述の電力使用量送信装置１０ａ及び１０ｂと電力使用量管理装置１００ａとは、それぞれマイクロプロセッサ等を有し、前述の動作はマイクロプロセッサ上で動作するプログラムによって行うようにしてもよい。
【００６４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００６５】
【図１】本発明の実施の形態による電力使用量管理システムの一例を示す図である。
【図２】図１に示す電力使用量送信装置及び電力使用量管理装置の構成を示すブロック図である。
【図３】本発明の実施の形態による電力使用量管理システムの動作を説明するためのフロー図である。
【図４】図１に示す電力使用量管理装置の表示部に表示される消費電力の画面例を示す図である。
【図５】電気機器の一つである液晶テレビにおける電源入時の消費電力と待機時の消費電力（待機電力）とを示す図である。
【図６】図１に示す電力使用量管理システムにおいて、携帯電話機が無線エリア内に入った際の電源供給停止の解除を説明するための図である。
【符号の説明】
【００６６】
１０ａ，１０ｂ  電力使用量送信装置
１１，１２  電気機器
１３，１４  コンセント
２１ａ  コンセント接続部
２１ｂ，２２ａ  ネットワーク通信部
２１ｃ  消費電力測定部
２１ｄ  電力供給停止部
２１ｅ  電気機器接続部
２２ｂ  消費電力算出部
２２ｃ  待機電気機器判定部
２２ｄ  電力供給停止機器判定部
２２ｅ  電力供給停止命令送信部
５０  家庭内システム
１００ａ  電力使用量管理装置
【図１】
2010114967.tif 000003
【図２】
2010114967.tif 000004
【図３】
2010114967.tif 000005
【図４】
2010114967.tif 000006
【図５】
2010114967.tif 000007
【図６】
2010114967.tif 000008